(57)【特許請求の範囲】
【請求項１】
本体部と、該本体部に連設された連結部と、を備えてなり、前記連結部同士を互いに接触させて少なくとも二つの建設用ブロックの前記本体部同士を横方向に連結して構築物を形成せしめる建設用ブロックであって、前記本体部が、連結相手方の建設用ブロック側へ延び出て該相手方の建設用ブロックの前記連結部における前記構築物の外面側を覆い隠す相手方連結部遮蔽部を備え、前記連結部が前記構築物の外面となる前記本体部の前面より後側に位置するように配設され、前記本体部の前面の端部が後方へのアールをなして前記連結部に接続している、建設用ブロック。
【請求項２】
前記連結部が、上下方向に延びる中心軸を有する円柱の表面形状の一部を含んで形成され、前記本体部における前記連結部側の端面と、前記構築物の内面となる前記本体部の後面とが、９０度の角度で交差して接している、請求項１に記載の建設用ブロック。
【請求項３】
前記相手方連結部遮蔽部の前記相手方建設用ブロック側への延び出し度合いを、建設用ブロック同士を直線的に連結するときに相手方建設用ブロックの連結部における前記構築物の外面側を完全に覆い隠すことができる延び出し度合いより小さくし、且つ、前記連結部を前記本体部の長さ方向に対して該本体部の前面側へと角度を付けて設けてなる、請求項１または２に記載の建設用ブロック。
【請求項４】
前記連結部が前記本体部の左右両端に形成され、前記各連結部が互い違いとなるようにそれらの上下位置をずらして形成されてなる、請求項１，２または３に記載の建設用ブロック。
【請求項５】
前記各連結部に、互いに上下に嵌り合う凹部と凸部とを形成してなる、請求項４に記載の建設用ブロック。
【発明の詳細な説明】
【０００１】
【発明の属する技術分野】
本発明は、例えば、花壇の囲いや塀等、種々の構築物を形成するための建設用ブロックに関するものである。
【０００２】
【従来の技術】
前記の如き構築物の組み立て及び取り壊しを簡単にするため、例えば、特開平２−２９２４０５号公報に示すようなブロックが提案されている。
【０００３】
該ブロックは、上平坦面と下平坦面とを有する細長い立体からなる本体部を備え、この本体部の長さ方向の両端に、互いに同一な円柱形状の連結部をそれぞれ備えている。これら二つの連結部は、それらの中心軸が上下方向へ向くようにして、前記本体部の両端面にその側面を接続されている。前記二つの連結部の高さは、前記本体部の高さの半分とされ、その直径は、前記本体部において構築物の外面および内面となる二面間の厚みと同じ長さとされている。前記二つの連結部は、それらの中央部に、それぞれ、上下方向に貫通するピン挿通孔を備えている。
【０００４】
そして、前記公報によれば、前記連結部同士を互いに重ね合せて多数のブロックを横方向に並べ、互いに一致した前記ピン挿通孔に連結ピンを通して、前記ブロック同士を、直線的にまたは相互間に必要な角度を持たせて、互いに連結して使用するものとされている。
【０００５】
【発明が解決しようとする課題】
しかし、前記従来の構成では、前記ブロック同士を横方向に連結したときに、前記互いに重なり合った連結部が前記構築物の外面に露出するので、見栄えが悪い等の欠点があった。
【０００６】
本発明は、こうした事情に鑑みてなされたもので、その解決しようとする課題は、構築物を組み立てたときに該構築物の外側にブロック同士の連結部が露出しない建設用ブロックを提供することである。
【０００７】
【課題を解決するための手段】
前記課題を解決するため、請求項１に記載の本発明に係るブロックは、本体部と、該本体部に連設された連結部と、を備えてなり、前記連結部同士を互いに接触させて少なくとも二つの建設用ブロックの前記本体部同士を横方向に連結して構築物を形成せしめる建設用ブロックであって、前記本体部が、連結相手方の建設用ブロック側へ延び出て該相手方の建設用ブロックの前記連結部における前記構築物の外面側を覆い隠す相手方連結部遮蔽部を備え、前記連結部が前記構築物の外面となる前記本体部の前面より後側に位置するように配設され、前記本体部の前面の端部が後方へのアールをなして前記連結部に接続している構成としたものである。
【０００８】
このような構成によれば、前記ブロック同士を横方向に連結したとき、前記連結部が前記構築物の外側に露出しないので、見栄えが良い。例えば、前記ブロックとして、前記構築物の外面となる側を石の割肌状の仕上げにしたものを用いた場合に、自然石を利用して構築物を形成した如き外観を作り出すことができる。また、ブロックを左右方向に直線状に連結した場合には、左右に隣接するブロック同士の間に上下方向の溝が表れるが、この溝は、前記本体部の前面の端部のアールに起因して角がないので滑らかで、構築物が温かみのある外観を呈することになる。さらに、本発明によれば、ブロック同士を構築物の内側に角度をつけて連結した場合には、連結部の一部が構築物の外面に露出するが、この露出部分は前記本体部の前面よりくぼんだ位置に現れる。よって、前記本体部同士の間に目地のような外観が創出され、この場合にも見栄えが良くなる。
【０００９】
請求項２に記載の本発明に係るブロックは、請求項１に記載のものにおいて、前記連結部が、上下方向に延びる中心軸を有する円柱の表面形状の一部を含んで形成され、前記本体部における前記連結部側の端面と、前記構築物の内面となる前記本体部の後面とが、９０度の角度で交差して接している構成としたものである。
【００１０】
このようにすれば、隣接するブロック同士をそれらの内角が最大９０度となるまで、前記連結部の前記中心軸の回りで回動せしめることができる。よって、種々の形状の構築物を作ることができる。
【００１５】
請求項３に記載の本発明に係るブロックは、請求項１または２に記載のものにおいて、前記相手方連結部遮蔽部の前記相手方建設用ブロック側への延び出し度合いを、建設用ブロック同士を直線的に連結するときに相手方建設用ブロックの連結部における前記構築物の外面側を完全に覆い隠すことができる延び出し度合いより小さくし、且つ、前記連結部を前記本体部の長さ方向に対して該本体部の前面側へと角度を付けて設けたものである。このようにすれば、本体部同士の前面側に角度を持たせてブロック同士を横方向に連結することができるので、構築物の形状に多様性を持たせることができる。
【００１６】
請求項４に記載の本発明に係るブロックは、請求項１，２又は３に記載のものにおいて、前記連結部を前記本体部の左右両端に形成し、前記各連結部が互い違いとなるようにそれらの上下位置をずらして形成したものである。
【００１７】
このようにすれば、ブロック同士を互いに連結するとき、いずれのブロックも上下位置を変更することなく配置できる。よって、連結作業が容易であるほか、例えば、前記ブロックをプラスチックで中空状に成形し、コスト低減の観点から離型用の孔をその上部または下部にそのまま残したときに、該離型用の孔が上向きとなったり下向きとなったりすることがない。
【００１８】
さらに、請求項５に記載の本発明に係るブロックは、請求項４に記載のものにおいて、前記各連結部に、互いに上下に嵌り合う凹部と凸部とを形成したものである。このようにすれば、前記連結部同士の連結がより強固となり、特に、前記連結部同士を互いに水平方向にずらすようにはたらく外力に対する耐性が向上するほか、前記凹部と凸部とが互いに嵌り合って位置決め部材として作用するので、前記ブロック同士を互いに連結する際の作業性も向上する。
【００１９】
【発明の実施の形態】
以下、図面を参照して、本発明の実施の形態を説明する。
【００２０】
本発明の第一実施形態に係る建設用ブロック１は、図１および図２に示すように、左右横長の立方体の本体部２と、該本体部２の長さ方向両端部に形成された連結部３，４と、を備えている。そして、図３および図４に示すように、前記連結部３，３および４，４同士を互いに重ね合わせて複数の建設用ブロック１の前記本体部２同士を横方向に連結するとともに、前記建設用ブロック１を上下方向にも連結して、構築物９を形成せしめるものである。
【００２１】
前記ブロック１は、例えば、プラスチック、レンガ、コンクリート等の適宜の材料で成形することができるが、ごみ焼却灰や下水汚泥などを主原料として用いた、いわゆるエコセメントを利用すれば、好適である。前記ブロック１は、例えば、花壇の囲いのほか、塀用ブロック等、種々の構築物建設用ブロックとして利用できる。
【００２２】
前記ブロック１において、前記本体部２は、上下方向への積み重ねに適するように、互いに平行な上平坦面５と下平坦面６とを備えている。また、前記本体部２は、それぞれ構築物の外面および内面となる前面７と後面８とを備えている。前記本体部２の前記前面７は、前記構築物９の外面に現れる関係上、そこには、その周囲にアールを付けたり、または、図示しない石の割肌状の仕上げ加工をしたりして、適宜の化粧処理が施されている。
【００２３】
一方、前記各連結部３，４は、互いに同一のものであり、それぞれ、上下方向に延びる中心軸を有する円柱の表面形状の一部を含んで形成されている。前記各連結部３，４の高さは、前記本体部２の高さの半分とされ、その直径Ｄは、前記本体部２の前後厚みＷより短くされている。前記各連結部３，４は、前記本体部２の前記後面８の左右延長面上にその後平面部１０が含まれるようにして、かつ、その底面１１（図３参照）が前記本体部２の前記下平坦面６の左右延長面上に含まれるようにして、前記本体部２の左右両端面１２，１３にその側面を接続されている。
【００２４】
前記各連結部３，４は、その中央部に、上下方向に貫通するピン挿通孔１４，１５を備えている。
【００２５】
なお、前記各連結部３，４は、必ずしも互いに同一高さでなくてもよく、左右の連結部の高さの合計寸法が前記本体部２の高さと一致すればよい。
【００２６】
前記本体部２の前記前面７は、図１に顕著に示されるように、後方へのアールをなして、前記各連結部３，４の前面中央部１６，１７に接続している。こうして形成された前記本体部２の前記前面７の左右両端部には、連結相手方の建設用ブロック１側へ延び出て該相手方の建設用ブロック１の前記連結部３，４における前記構築物９の外面側を覆い隠す相手方連結部遮蔽部１８，１９が含まれている。該相手方連結部遮蔽部１８，１９で覆い隠される相手方のブロック１の前記連結部３，４の前面は、前記本体部２の前記前面７より後側に位置している。
【００２７】
また、図１に示すように、前記本体部２の前記左右両端面１２，１３と前記後面８とは、９０度の角度で交差して接している。
【００２８】
前記本体部２の長さ方向中央部には、前記各連結部３，４におけると同様に、上下方向に貫通するピン挿通孔２０が穿設されている。
【００２９】
以上のように構成されるブロック１は、例えば図３に示すように、前記連結部３，３および４，４同士を上下に重ね合せて横方向に整列させられ、前記本体部２および前記連結部３，４に形成されたピン挿通孔２０，１４，１５に適宜の連結ピン２１を挿通して、互いに連結される。そして、前記ブロック１同士を横方向に直線的に連結すれば、図４および図５に示すように、前記相手方連結部遮蔽部１８，１９により、前記連結部３，４における前記構築物９の外面側が覆い隠される。このため、前記構築物９の外面側には前記本体部２の化粧処理された前面７のみが現れることになり、構築物の見栄えが良い。例えば、前記ブロック１として、その前面７側を石の割肌状の仕上げにしたものを用いた場合に、自然石を利用して前記構築物９を形成した如き外観を容易に作り出すことができる。
【００３０】
また、前記ブロック１は、前記本体部２の左右両端面１２，１３と後面８とが９０度の角度で交差して接しているので、前記連結ピン２０を中心として、相手方のブロック１を前記構築物９の内側へと９０度まで自由に回動させることができる（図６参照）。このため、上から見たときに横方向へ直線的に延びる構築物だけでなく、折れ曲がった形状の構築物や湾曲した構築物等、必要に応じて種々の形状の構築物を作ることができる。
【００３１】
なお、このようにして前記ブロック１同士を構築物の内側に曲げて連結すると、前記連結部３，４の表面の一部は必然的に前記構築物の外面に露出する。しかし、露出した連結部３，４は、前記本体部２の前面よりくぼんだ位置に上下方向に延びるように細幅に現れるので、前記本体部２同士の間に細い目地のような外観が創出され、見栄えが良い。
【００３２】
前記本体部２の長さを前記ブロック１の半分とした小ブロック２２を使用すれば、図７に示すように、上段のブロック群と下段のブロック群とを前記ブロック１の前記本体部２の半分ずつずらして積み重ねることもできる。
【００３３】
図８乃至図１０には、本発明の第二実施形態に係る建設用ブロック１ａが示されている。このブロック１ａにおいて、前記第一実施形態に係るブロック１と同等の部分または要素には、それと同一の符号に記号ａを付加して示している。
【００３４】
図８に示すように、本第二実施形態に係る前記建設用ブロック１ａは、連結部３ａ，４ａの直径Ｄａが本体部２ａの前後厚みＷａと同じ長さとなっており、前記本体部２ａの前面７ａの左右両端部が直線的に延びて、前記連結部３ａ，４ａの前面中央部１６ａ，１７ａに接続している。このように構成された前記本体部２ａの前記前面７ａの左右両端部には、連結相手方の建設用ブロック１ａ側へ延び出て該相手方の建設用ブロック１ａの前記連結部３ａ，４ａにおける構築物の外面側を覆い隠す相手方連結部遮蔽部１８ａ，１９ａが含まれている。
【００３５】
本第二実施形態のものにおいても、前記第一実施形態のものと同様に、同種のブロック１ａ同士を横方向に直線的に連結すれば、前記相手方連結部遮蔽部１８ａ，１９ａにより、相手方ブロック１ａの前記連結部３ａ，４ａにおける構築物９ａの外面側が覆い隠される（図１０参照）。よって、前記構築物９ａの外面側には前記本体部２ａの化粧処理された前記前面７ａのみが現れることになり、構築物の見栄えが良い。
【００３６】
図１１乃至図１４には、本発明の第三実施形態に係る建設用ブロック１ｂが示されている。このブロック１ｂにおいて、前記第一実施形態に係るブロック１と同等の部分または要素には、それと同一の符号に記号ｂを付加して示している。
【００３７】
本第三実施形態の前記ブロック１ｂでは、前記第一実施形態のものと異なり、本体部２ｂの左右両端面１２ｂ，１３ｂに接続される連結部３ｂ，４ｂが、あらかじめ上下互い違いになっている。例えば、図示例では、前記本体部２ｂをその前面側から見たときに、左側の連結部３ｂが前記本体部２ｂの高さの上半分に、右側の連結部４ｂが前記本体部２ｂの高さの下半分に、それぞれ位置している（図１３参照）。
【００３８】
このようにしたのは、次の理由による。すなわち、前記第一実施形態に係るブロック１では、同一のものを多数準備してそれを横方向へ連結していくとき、互いに横方向に隣接するブロック１同士は、同一構成のものを上下逆向きに整列させなければならない（図３参照）。これは、前記左右の連結部３，４を、いずれも前記本体部２に対して上下同一の位置に設けたからである。
【００３９】
この点、本第三実施形態のものでは、前記各連結部２ｂをあらかじめ上下互い違いに設けたので、図１４に示すように、隣接するブロック１ｂ同士を上下逆向きにすることなく、互いに横方向に連結していくことができる。よって、連結作業が容易となる。
【００４０】
さらに、例えば、前記ブロック１ｂをプラスチックで中空状に射出成形し、コスト低減の観点から離型用の孔をその上部または下部にそのまま残したときに、該離型用の孔が上向きとなったり下向きとなったりすることがない。
【００４１】
本第三実施形態のものでは、前記左右の連結部３ｂ，４ｂの中央に、互いに上下に嵌り合う円形の凹部２５と凸部２６とを設けている。このため、前記連結部３ｂ，４ｂ同士の連結がより強固となり、特に、前記連結部３ｂ，４ｂ同士を互いに水平方向にずらすようにはたらく外力に対する耐性が向上するほか、前記凹部２５と前記凸部２６とが互いに嵌り合って位置決め部材として作用するので、前記ブロック１ｂ同士を互いに連結する際の作業性も向上する。
【００４２】
図１５乃至図１７には、本発明の第四実施形態に係る建設用ブロック１ｃが示されている。このブロック１ｃにおいて、前記第一実施形態に係るブロック１と同等の部分または要素には、それと同一の符号に記号ｃを付して示している。
【００４３】
本第四実施形態のブロック１ｃでは、前記第一実施形態のものと異なり、本体部２ｃの左右両端面１２ｃ，１３ｃに接続される連結部３ｃ，４ｃが、前記本体部２ｃの長さ方向に対して、該本体部２ｃの前面７ｃ側へと角度θを付けて設けられている。
【００４４】
本第四実施形態のものも、前記本体部２ｃは相手方連結部遮蔽部１８ｃ，１９ｃを備えているが、該相手方連結部遮蔽部１８ｃ，１９ｃは、前記第一実施形態のものと異なり、相手方ブロックの連結部方向への延び出し度合いが小さくなっており、前記本体部２ｃの前記前面７ｃは、図１５に顕著に示されるように、後方へのアールをなして、前記連結部３ｃ，４ｃの前面中央部１６ｃ，１７ｃより前記本体部２ｃ側寄りの位置で前記各連結部３ｃ，４ｃに接続している。このため、前記本体部２ｃの前面７ｃ同士の間に角度を持たせてブロック同士を連結することができる。例えば、本第四実施形態に係るブロック１ｃと前記第一実施形態に係るブロック１とを互いに連結すると、図１７のようになる。
【００４５】
図１８には、本発明の第五実施形態に係る建設用ブロック１ｄが示されている。このブロック１ｄにおいて、前記第一実施形態に係るブロック１と同等の部分または要素には、それと同一の符号に記号ｄを付して示している。
【００４６】
本第五実施形態のブロック１ｄでは、前記第一実施形態のものと異なり、本体部２ｄの一端（左端）の円柱状連結部３ｄの高さが、前記本体部２ｄの高さと一致している。そして、前記本体部２ｄの他端（右端）の連結部４ｄは、前記左側連結部３ｄの外周面と密に接する形状の滑らかな窪みとなっている。
【００４７】
本第五実施形態では、前記窪み状連結部４ｄの前側に、相手方連結部遮蔽部１９ｄが突出形成されている。前記ブロック１ｄは、例えば、図１９または図２０に示すように、互いに隣接するブロック１ｄ同士の前記円柱状連結部３ｄと前記窪み状連結部４ｄとが互いに密に接触するように整列させられて構築物９ｄを形成する。
【図面の簡単な説明】
【図１】本発明の第一実施形態に係るブロックの平面図である。
【図２】図１に示したブロックの斜視図である。
【図３】図１に示したブロックの連結方法の一例を示す斜視図である。
【図４】図１に示したブロックによって建設された構築物の一部を外側から見た斜視図である。
【図５】図１に示したブロックの連結状態を示す平面図である。
【図６】図１に示したブロックの回動範囲を示す平面図である。
【図７】ブロックの連結方法の別例を示す斜視図である。
【図８】本発明の第二実施形態に係るブロックの平面図である。
【図９】図８に示したブロックの斜視図である。
【図１０】図８に示したブロックの連結状態を示す平面図である。
【図１１】本発明の第三実施形態に係るブロックの斜視図である。
【図１２】図１１に示したブロックの平面図である。
【図１３】図１１に示したブロックの正面図である。
【図１４】図１１に示したブロックの連結状態を示す正面図である。
【図１５】本発明の第四実施形態に係るブロックの平面図である。
【図１６】図１５に示したブロックを裏側から見た斜視図である。
【図１７】図１５に示したブロックと図１に示したブロックとを互いに連結した状態の平面図である。
【図１８】本発明の第五実施形態に係るブロックの平面図である。
【図１９】図１８に示したブロックの連結方法の一例を示す斜視図である。
【図２０】図１８に示したブロックの連結方法の別例を示す斜視図である。
【符号の説明】
２，２ａ，２ｂ，２ｃ  本体部
３，３ａ，３ｂ，３ｃ  連結部
４，４ａ，４ｂ，４ｃ  連結部
７，７ａ，７ｂ，７ｃ  本体部の前面
８，８ａ，８ｂ，８ｃ  本体部の後面
１８，１８ａ，１８ｂ，１８ｃ  相手方連結部遮蔽部
１９，１９ａ，１９ｂ，１９ｃ  相手方連結部遮蔽部
２５  凹部
２６  凸部
【図１】
0003863964.tif 000002
【図２】
0003863964.tif 000003
【図３】
0003863964.tif 000004
【図４】
0003863964.tif 000005
【図５】
0003863964.tif 000006
【図６】
0003863964.tif 000007
【図７】
0003863964.tif 000008
【図８】
0003863964.tif 000009
【図９】
0003863964.tif 000010
【図１０】
0003863964.tif 000011
【図１１】
0003863964.tif 000012
【図１２】
0003863964.tif 000013
【図１３】
0003863964.tif 000014
【図１４】
0003863964.tif 000015
【図１５】
0003863964.tif 000016
【図１６】
0003863964.tif 000017
【図１７】
0003863964.tif 000018
【図１８】
0003863964.tif 000019
【図１９】
0003863964.tif 000020
【図２０】
0003863964.tif 000021